(57)【要約】【課題】液体を効率良く照明できる液体用容器、容器用照明装置、容器用部材及び容器照明システムを提供する。【解決手段】実施形態によれば、内部に液体を格納可能で少なくとも一部が光透過性の槽部と、前記少なくとも一部に接する発光部と、を含む液体用容器が提供される。前記発光部は、前記少なくとも一部の外側面に対向する第１電極と、前記第１電極と前記少なくとも一部との間に設けられ光透過性の第２電極と、前記第１電極と前記第２電極との間に設けられた有機発光層と、を含む。【選択図】図１
2014103008.tif 000002
【特許請求の範囲】
【請求項１】
内部に液体を格納可能で少なくとも一部が光透過性の槽部と、
前記少なくとも一部に接する発光部であって、前記発光部は、
前記少なくとも一部の外側面に対向する第１電極と、
前記第１電極と前記少なくとも一部との間に設けられ光透過性の第２電極と、
前記第１電極と前記第２電極との間に設けられた有機発光層と、
を含む発光部と、
を備えた液体用容器。
【請求項２】
前記第１電極は、光反射性であり、
前記第１電極から前記第２電極に向かう積層方向に対して垂直な平面に投影したときに、前記有機発光層は、前記第１電極と重なる重畳部分と、前記第１電極と重ならない非重畳部分と、を有する請求項１記載の液体用容器。
【請求項３】
前記発光部は、前記少なくとも一部と前記第２電極との間に設けられ前記第２電極の屈折率よりも低い屈折率を有する光学層をさらに含む請求項１または２に記載の液体用容器。
【請求項４】
前記発光部は、
前記少なくとも一部と前記第２電極との間に設けられた光透過性の基板と、
前記第２電極と前記基板との間に設けられ前記有機発光層から放出された光の進行方向を変える光路制御層と、
をさらに備えた請求項１〜３のいずれか１つに記載の液体用容器。
【請求項５】
第１電極と、
第２電極と、
前記第１電極と前記第２電極との間に設けられた有機発光層と、
を含み前記第２電極の側の光出射面を有する発光部と、
前記光出射面上に設けられ、内部に液体を格納可能で少なくとも一部が光透過性の槽部の前記少なくとも一部と、前記光出射面と、を密着可能で光透過性の密着層と、
を備えた容器用照明装置。
【請求項６】
内部に液体を格納可能で少なくとも一部が光透過性の槽部の一部となる基板部と、
発光部であって、前記発光部は、
前記基板部に対向する第１電極と、
前記第１電極と前記基板部との間に設けられ光透過性の第２電極と、
前記第１電極と前記第２電極との間に設けられた有機発光層と、
を含む発光部と、
を備えた容器用部材。
【請求項７】
内部に液体を格納可能で少なくとも一部が光透過性の槽部と、
発光部であって、前記発光部は、
前記少なくとも一部の外側面に対向する第１電極と、
前記第１電極と前記少なくとも一部との間に設けられ光透過性の第２電極と、
前記第１電極と前記第２電極との間に設けられた有機発光層と、
を含む発光部と、
前記第１電極と前記第２電極との間に流れる電流を制御する制御部と、
を備えた容器照明システム。
【発明の詳細な説明】
【技術分野】
【０００１】
本発明の実施形態は、液体用容器、容器用照明装置、容器用部材及び容器照明システムに関する。
【背景技術】
【０００２】
近年、平面光源などの用途に有機電界発光素子が注目されている。有機電界発光素子において、薄型、軽量、面発光などの特徴から、種々の応用が期待されている。
【先行技術文献】
【特許文献】
【０００３】
【特許文献１】特開２０１１−１４１９９２号公報
【発明の概要】
【発明が解決しようとする課題】
【０００４】
本発明の実施形態は、液体を効率良く照明できる液体用容器、容器用照明装置、容器用部材及び容器照明システムを提供する。
【課題を解決するための手段】
【０００５】
本発明の実施形態によれば、内部に液体を格納可能で少なくとも一部が光透過性の槽部と、前記少なくとも一部に接する発光部と、を含む液体用容器が提供される。前記発光部は、前記少なくとも一部の外側面に対向する第１電極と、前記第１電極と前記少なくとも一部との間に設けられ光透過性の第２電極と、前記第１電極と前記第２電極との間に設けられた有機発光層と、を含む。
【図面の簡単な説明】
【０００６】
【図１】図１（ａ）〜図１（ｃ）は、第１の実施形態に係る液体用容器を示す模式図である。
【図２】第１の実施形態に係る液体用容器の一部を示す模式図である。
【図３】第１の実施形態に係る別の液体用容器を示す模式的断面図である。
【図４】第１の実施形態に係る別の液体用容器を示す模式的断面図である。
【図５】第１の実施形態に係る別の液体用容器を示す模式的断面図である。
【図６】第１の実施形態に係る別の液体用容器を示す模式的断面図である。
【図７】第１の実施形態に係る別の液体用容器を示す模式的断面図である。
【図８】第１の実施形態に係る別の液体用容器を示す模式的断面図である。
【図９】第１の実施形態に係る別の液体用容器を示す模式的断面図である。
【図１０】図１０（ａ）〜図１０（ｄ）は、第１の実施形態に係る液体用容器の一部を示す模式的断面図である。
【図１１】第１の実施形態に係る別の液体用容器を示す模式的断面図である。
【図１２】第１の実施形態に係る別の液体用容器を示す模式的断面図である。
【図１３】第２の実施形態に係る容器用照明装置を示す模式的断面図である。
【図１４】第２の実施形態に係る別の容器用照明装置を示す模式的断面図である。
【図１５】第２の実施形態に係る別の容器用照明装置を示す模式的断面図である。
【図１６】図１６（ａ）及び図１６（ｂ）は、第３の実施形態に係る容器用部材を示す模式図である。
【図１７】第４の実施形態に係る容器照明システムを示す模式的斜視図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１（ａ）〜図１（ｃ）は、第１の実施形態に係る液体用容器を例示する模式図である。  
図１（ａ）は、斜視図である。図１（ｂ）は、図１（ａ）のＡ１−Ａ２線断面図である。図１（ｃ）は、Ａ１−Ａ２線断面の別の例である。
【０００９】
図１（ａ）に表したように、本実施形態に係る液体用容器１１０は、槽部７０と、発光部８０と、を備える。
【００１０】
槽部７０は、槽部７０の内部に液体７０Ｗを格納可能である。槽部７０は、例えば、第１〜第４側部７１〜７４と、底部７５と、を有する。第２側部７２は、第１側部７１と離間している。第３側部７３は、第１側部７１の一端と第２側部７２の一端と接続されている。第４側部７４は、第３側部７３と離間している。第４側部７４は、第１側部７１の他端と第２側部７２の他端と接続されている。第１〜第４側部７１〜７４は、底部７５と接続されている。隣り合う第１〜第４側部７１〜７４どうしの間には、隙間が無い。第１〜第４側部７１〜７４と、底部７５と、の間には隙間がない。第１〜第４側部７１〜７４と、底部７５と、により外部と区画された空間が形成される。その空間内に、液体７０Ｗを溜めることができる。
【００１１】
実施形態において、第１〜第４側部７１〜７４どうしの間に接続部材が設けられても良い。第１〜第４側部７１〜７４と、底部７５と、の間に接続部材が設けられても良い。槽部７０の形状及び大きさは任意である。
【００１２】
槽部７０は、例えば、室内に設置され、その内部において、例えば、魚などが飼育される。槽部７０の中に人が入っても良い。槽部７０は、例えば、浴槽でも良い。槽部７０は、人が泳ぐスイミングプールでも良い。槽部７０は、屋外に設置され、例えば、池でも良い。池には、噴水が設けられても良い。槽部７０は、建物の装飾用の水槽でも良い。槽部７０の上に、蓋が設けられても良い。蓋の上を、人や車両などが通行可能でも良い。
【００１３】
液体７０Ｗは、例えば、水である。液体７０Ｗは、オイルでも良い。液体７０Ｗは、混合物でも良い。実施形態において、液体７０Ｗには、任意の液状の物質を用いることができる。
【００１４】
槽部７０の少なくとも一部７０ｐは、光透過性である。槽部７０には、例えば、光透過性のガラスが用いられる。槽部７０には、例えば、光透過性の有機樹脂を用いても良い。この有機樹脂には、例えばアクリルなどを用いることができる。第１〜第４側部７１〜７４、及び、底部７５の少なくともいずれかには、例えば、光透過性の、ガラスまたは有機樹脂が用いられる。以下では、第１〜第４側部７１〜７４、及び、底部７５に光透過性のガラスが用いられる場合の例を説明する。
【００１５】
槽部７０の外側に、発光部８０が設けられる。発光部８０は、槽部７０の上記の少なくとも一部７０ｐに接している。
【００１６】
この例では、発光部８０は、第１側部７１に接している。実施形態において、発光部８０は、例えば、第１〜第４側部７１〜７４、及び、底部７５の少なくともいずれかに対向して設けられる。以下では、説明を簡単にするために、発光部８０が、第１側部７１に対向して設けられている例について説明する。
【００１７】
図１（ｂ）に表したように、発光部８０は、第１側部７１に対向し、発光部８０は、第１側部７１に接している。発光部８０は、第１電極１０と、第２電極２０と、有機発光層３０と、を含む。
【００１８】
第１電極１０は、第１側部７１に対向する。すなわち、第１電極１０は、槽部７０の光透過性の部分（上記の少なくとも一部７０ｐ）の外側面７０ｏに対向する。
【００１９】
第２電極２０は、第１側部７１（槽部７０の上記の少なくとも一部７０ｐ）と、第１電極１０と、の間に設けられる。第２電極２０は、光透過性である。
【００２０】
有機発光層３０は、第１電極１０と第２電極２０との間に設けられる。
【００２１】
発光部８０は、光出射面８０ａを有している。光出射面８０ａは、第２電極２０の側の面である。第１電極１０と第２電極２０との間に電圧が印加される。例えば、第１電極１０は、陰極であり、第２電極２０は、陽極である。
【００２２】
図１（ａ）に例示したように、液体用容器１１０は、駆動部９０をさらに含んでも良い。駆動部９０は、第１電極１０及び第２電極２０に接続される。駆動部９０は、第１電極１０と第２電極２０との間に流れる電流を発光部８０に供給する。
【００２３】
液体用容器１１０は、制御部９１をさらに含んでも良い。制御部９１は、駆動部９０を制御して、制御部９１は、第１電極１０と第２電極２０との間に流れる電流を制御する。駆動部９０は、制御部９１に含まれても良い。図１（ｂ）及び図１（ｃ）では、制御部９１は、省略されている。制御部９１は、必要に応じて設けられ、省略しても良い。
【００２４】
第１電極１０と第２電極２０との間に流れる電流により、有機発光層３０から光４５（発光光）が放出される。光４５は、主に、光出射面８０ａから出射する。
【００２５】
図１（ｂ）に表したように、光４５は、槽部７０の第１側部７１を通過して、液体７０Ｗに入射する。本実施形態においては、槽部７０と発光部８０とは、互いに接している。従って、槽部７０と発光部８０との間には、空気層が実質的に介在しない。さらに、槽部７０と液体７０Ｗとは互いに接している。槽部７０と液体７０Ｗとの間の界面７０ｉでの光の反射が抑制できる。これにより、光４５は、発光部８０から液体７０Ｗに効率良く入射できる。発光部８０は、液体７０Ｗを効率良く照明できる。
【００２６】
発光部８０を槽部７０から離して設置する第１参考例においては、発光部８０と槽部７０との間に空気層が形成される。空気層の屈折率は、槽部７０の屈折率よりも低い。発光部８０と空気層の界面において、光４５は、反射され易く、光４５は空気層へ効率よく進入できない。空気層と槽部７０との間の界面において、光４５は、反射され易く、光４５は、槽部７０に効率良く進入できない。このため、第１参考例においては、液体７０Ｗを効率良く照明することが困難である。
【００２７】
一方、槽部７０に格納された液体７０Ｗの上方に、発光部８０を設ける第２参考例がある。第２参考例においては、発光部８０と液体７０Ｗとは互いに離間しており、発光部８０と液体７０Ｗとの間に空気層が形成される。空気層の屈折率は、発光部８０の屈折率よりも低い。このため、発光部８０と空気層との間の界面において、光４５は、反射され易く、光４５は、空気層に効率良く進入できない。空気層と液体７０Ｗとの界面において光４５は反射され易く、光４５は液体７０Ｗに効率よく進入できない。このため、第２参考例においても、液体７０Ｗを効率良く照明することが困難である。
【００２８】
これに対して、実施形態に係る液体用容器１１０においては、槽部７０と発光部８０とは、互いに接しており、空気層が実質的に形成されない。これにより、光４５は、発光部８０から液体７０Ｗに効率良く入射でき、液体７０Ｗが、効率良く照明できる。
【００２９】
図１（ｃ）に表したように、本実施形態に係る液体用容器１１１においては、発光部８０は、基板８５をさらに含む。これ以外は、液体用容器１１０と同様である。
【００３０】
基板８５は、槽部７０（槽部７０の上記の少なくとも一部７０ｐ）に接している。この例では、基板８５は、第１側部７１に接している。基板８５には、例えば、ガラス、または、有機樹脂などが用いられる。この有機樹脂には、例えば、アクリルなどを用いることができる。基板８５には、光透過性である。
【００３１】
図１（ｃ）に表したように、この場合も、光４５は、槽部７０の第１側部７１を通過して、液体７０Ｗに入射する。液体用容器１１１においても、光４５は、発光部８０から液体７０Ｗに効率良く入射でき、液体７０Ｗが、効率良く照明できる。
【００３２】
光学シミュレーションより光取り出し効率を算出すると、以下である。光取り出し効率は、有機発光層３０から放出された光４５に対して、液体７０Ｗ内に入射する光の割合である。例えば、上記の第１参考例のように、発光部８０が槽部７０から離間している場合は、光取り出し効率は、例えば、約１５％である。これに対して、本実施形態（液体用容器１１０及び１１１）においては、光取り出し効率は、約３３％である。このように、本実施形態によれば、高い光取り出し効率が得られ、液体７０Ｗを効率良く照明できる。
【００３３】
さらに、本実施形態においては、発光部８０は、槽部７０に接している。槽部７０内には液体７０Ｗが格納される。このため、発光部８０で発生した熱は、槽部７０（例えば第１側部７１）を介して、液体７０Ｗに効率良く伝わる。発光部８０の放熱性が良い。これにより、発光部８０の熱による劣化が抑制できる。本実施形態によると、発光部８０の寿命を向上できる。
【００３４】
例えば、高輝度の加速寿命試験において、発光部８０を室温（例えば２５℃）において動作させると、発光部８０の寿命は例えば１０００時間である。寿命は、例えば、初期の明るさの１／２になるときの動作時間である。発光部８０を６０℃において動作させると、発光部８０の寿命は例えば３００時間である。発光部８０を１００℃において動作させると、発光部８０の寿命は例えば５０時間である。このように、発光部８０の寿命は、動作温度が高くなると短くなる。
【００３５】
実施形態においては、液体７０Ｗに熱が効率良く伝わり、放熱性が良い。このため、発光部８０の熱による劣化が抑制できる。本実施形態によると、発光部８０の寿命を向上できる。
【００３６】
このように、実施形態によれば、液体７０Ｗを効率良く照明できると共に、長い寿命で照明できる液体用容器が提供できる。
【００３７】
第１電極１０は、例えば、光反射性である。第１電極１０は、有機発光層３０から放出される光に対して反射性である。第１電極１０の光反射率は、第２電極２０の光反射率よりも高い。本願明細書においては、第２電極２０の光反射率よりも高い光反射率を有している状態が、光反射性を有する状態である。
【００３８】
第１電極１０は、例えば、アルミニウム及び銀の少なくともいずれかを含む。例えば、第１電極１０には、アルミニウム膜が用いられる。さらに、第１電極１０として、銀とマグネシウムとの合金を用いても良い。この合金にカルシウムを添加しても良い。第１電極１０は、例えば、陰極として機能する。
【００３９】
第１電極１０は、例えば、光反射性を有する第１膜と、その第１膜と積層されその第１膜とは異なる材料の第２膜と、を含んでも良い。第２膜には、例えば、光透過性の膜を用いることができる。
【００４０】
第２電極２０は、例えば、Ｉｎ、Ｓｎ、Ｚｎ及びＴｉよりなる群から選択された少なくともいずれかの元素を含む酸化物を含む。第２電極２０には、例えば、酸化インジウム、酸化亜鉛、酸化錫、インジウム錫酸化物（ＩＴＯ：Indium Tin Oxide）、及び、フッ素ドープ酸化錫（ＦＴＯ）の少なくともいずれかを用いることができる。第２電極２０は、例えば、スパッタまたは蒸着などの、気相成長により形成できる。第２電極２０は、例えば、塗布法、または、スプレイ法などによって形成されても良い。第２電極１０は、例えば、陽極として機能する。
【００４１】
第２電極２０の屈折率は、例えば、１．６以上２．２以下である。
【００４２】
図２は、第１の実施形態に係る液体用容器の一部を例示する模式図である。  
図２は、発光部８０の構成を例示している。図２においては、基板８５は省略されている。  
図２に表したように、有機発光層３０は、発光層３３を含む。有機発光層３０は、必要に応じて、第１層３１及び第２層３２の少なくともいずれかをさらに含むことができる。発光層３３は、可視光の波長を含む光を放出する。第１層３１は、発光層３３と第１電極１０との間に設けられる。第２層３２は、発光層３３と第２電極２０との間に設けられる。
【００４３】
発光層３３には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。
【００４４】
発光層３３には、ホスト材料と、ホスト材料に添加されるドーパントと、の混合材料を用いることができる。
【００４５】
ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。
【００４６】
ドーパント材料としては、例えば、Ｆｌｒｐｉｃ（イリジウム(III)ビス(4,6-ジ-フルオロフェニル)-ピ. リジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（III））などを用いることができる。
【００４７】
第１層３１は、例えば電子注入層として機能する層を含むことができる。電子注入層は、例えば、フッ化リチウム、フッ化セシウム、及び、リチウムキノリン錯体などの少なくともいずれかを含む。第１層３１は、例えば、電子輸送層として機能する層を含むことができる。電子輸送層は、例えば、Ａｌｑ３（トリス（8キノリ.ノラト）アルミニウム（III））、ＢＡｌｑ(ビス（２−メチル−８−キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第１層３１は、例えば、電子注入層として機能する層と、電子輸送層として機能する層と、の積層構造を有しても良い。第１層３１は、電子注入層として機能する層及び電子輸送層として機能する層とは別の層を含んでも良い。
【００４８】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4”−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。
【００４９】
上記の第１電極１０及び第２電極２０に関する積層構造は、一例である。  
実施形態において、第１電極１０が陽極で、第２電極２０が陰極でも良い。実施形態において、陰極側に、例えば、電子輸送層及び電子注入層の少なくともいずれかが設けられる。実施形態において、陽極側に、例えば、正孔輸送層及び正孔注入層の少なくともが設けられる。
【００５０】
例えば、有機発光層３０は、可視光の波長の成分を含む光を放出する。例えば、有機発光層３０から放出される光は、実質的に白色光である。すなわち、発光部８０から出射する光は白色光である。発光部８０から出射する光は、実質的に白色である。発光部８０から出射する光は、例えば、赤系白色、黄系白色、緑系白色、青系白色、及び、紫系白色のいずれかである。
【００５１】
実施形態において、有機発光層３０から放出される光は、赤、橙、黄、緑、青、藍、または、紫の色でも良い。
【００５２】
図３は、第１の実施形態に係る別の液体用容器を例示する模式的断面図である。  
図３は、図１（ａ）のＡ１−Ａ２線断面に相当する断面図である。
【００５３】
図３に表したように、本実施形態に係る別の液体用容器１１２においては、第１電極１０は、開口部１０ｏを有している。これ以外の構成は、例えば、液体用容器１１１と同様であるので説明を省略する。
【００５４】
第１電極１０から第２電極２０に向かう方向を積層方向（Ｚ軸方向）とする。Ｚ軸方向に対して垂直な１つの軸をＸ軸方向とする。Ｚ軸方向とＸ軸方向とに対して垂直な方向をＹ軸方向とする。積層方向（Ｚ軸方向）に対して垂直な平面は、Ｘ−Ｙ平面となる。
【００５５】
有機発光層３０は、Ｘ−Ｙ平面に投影したときに、第１電極１０と重なる重畳部分３５と、第１電極と重ならない非重畳部分３６と、を有する。第１電極１０は、光反射性である。重畳部分３５は、発光する部分である。非重畳部分３６は、実質的に発光しない部分である。
【００５６】
液体用容器１１２においては、開口部１０ｏを光が通過できる。このため、例えば、液体用容器１１２の使用者は、開口部１０ｏを介して液体７０Ｗ中の物体を観視できる。
【００５７】
もし、第１電極１０が反射性であり、第１電極１０が、有機発光層３０の全体を覆うように設けられる場合は、使用者は、発光部８０を介して液体７０Ｗの中を観視できない。
【００５８】
液体用容器１１２においては、第１電極１０に開口部１０ｏを設けることで、使用者は、開口部１０ｏを介して液体７０Ｗ中の物体を観視できる。これにより、例えば、液体用容器の用途が拡大する。液体用容器の意匠性が高まる。
【００５９】
開口部１０ｏの形状（Ｘ−Ｙ平面に投影したときのパターン形状）は、例えば、帯状である。開口部１０ｏの形状は、例えば、独立した島状である。第１電極１０の導電部の形状は、例えば、帯状、格子状などでも良い。  
液体用容器１１２において、制御部９１をさらに設けても良い。
【００６０】
図４は、第１の実施形態に係る別の液体用容器を例示する模式的断面図である。  
図４は、図１（ａ）のＡ１−Ａ２線断面に相当する断面図である。
【００６１】
図４に表したように、本実施形態に係る別の液体用容器１１３においては、配線２５が設けられている。これ以外の構成は、例えば、液体用容器１１２と同様であるので説明を省略する。
【００６２】
配線２５は、第２電極２０と電気的に接続されている。配線２５は、第２電極２０と接している。配線２５の抵抗率は、第２電極２０の抵抗率よりも低い。配線２５の導電率は、第２電極２０の導電率よりも高い。配線２５の光透過率は、例えば、第２電極２０の光透過率よりも低い。配線２５の光透過率は、第１電極１０の光透過率よりも低くても、高くても、同じでも良い。
【００６３】
第２電極２０は、光透過性であるため、抵抗が比較的高い。このため、場合によっては、電圧降下によって明るさが不均一になる場合がある。低抵抗の配線２５を設けることで、明るさが均一化できる。
【００６４】
このように、配線２５は、例えば、第２電極２０の電位降下を抑制する補助電極として機能する。配線２５は、例えば、電流供給のためのリード電極として機能することができる。
【００６５】
配線２５に、開口２５ｏを設けてもよい。その場合、配線２５の開口２５ｏを光が透過する。これにより、リード電極なども、使用者から実質的に視認できなくなる。例えば、液体用容器の用途が拡大する。液体用容器の意匠性が高まる。
【００６６】
配線２５の開口２５ｏの形状（Ｘ−Ｙ平面に投影したときのパターン形状）は、例えば、帯状である。配線２５の開口２５ｏの形状は、例えば、独立した島状である。配線２５の導電部の形状は、例えば、帯状、格子状などでも良い。
【００６７】
例えば、第１電極１０に開口部１０ｏが設けられる場合、Ｘ−Ｙ平面に投影したときに、配線２５は、開口部１０ｏの少なくとも一部と重なる。
【００６８】
この例では、配線２５は、第２電極２０と有機発光層３０との間に設けられている。実施形態において、配線２５と有機発光層３０との間に、第２電極２０が配置されても良い。
【００６９】
配線２５は、例えば、Ｍｏ、Ｔａ、Ｎｂ、Ａｌ、Ｎｉ及びＴｉよりなる群から選択された、少なくともいずれかの元素を含む。配線２５は、例えば、この群から選択された元素を含む混合膜とすることができる。配線２５は、それらの元素を含む積層膜とすることができる。配線２５には、例えばＮｂ／Ｍｏ／Ａｌ／Ｍｏ／Ｎｂの積層膜を用いることができる。
【００７０】
液体用容器１１３において、制御部９１をさらに設けても良い。
【００７１】
上記の液体用容器１１０〜１１４において、発光部８０は、第１側部７１の他に、他の側部にさらに設けても良い。発光部８０は、底部７５に設けても良い。第１側部７１に設けられる発光部８０から出射する光の色は、他の側部（例えば、第２側部７２）に設けられる発光部８０から出射する光の色と、異なっても良い。第１側部７１に設けられる発光部８０から出射する光の色は、底部７５に設けられる発光部８０から出射する光の色と、異なっても良い。
【００７２】
図５は、第１の実施形態に係る別の液体用容器を例示する模式的断面図である。  
図５は、図１（ａ）のＡ１−Ａ２線断面に相当する断面図である。
【００７３】
図５に表したように、本実施形態に係る液体用容器１１１Ａにおいては、複数の第１電極（例えば、第１電極１０ａ、１０ｂ及び１０ｃなど）が設けられる。複数の第１電極と、第２電極２０と、の間のそれぞれに、有機発光層３０が設けられる。
【００７４】
第１電極１０ａと第２電極２０との間に、有機発光層３０の第１部分３０ａが設けられる。第１電極１０ｂと第２電極２０との間に、有機発光層３０の第２部分３０ｂが設けられる。第１電極１０ｃと第２電極２０との間に、有機発光層３０の第３部分３０ｃが設けられる。
【００７５】
第２部分３０ｂの発光波長（例えば、ピーク波長）は、第１部分３０ａの発光波長（例えば、ピーク波長）とは、異なる。第３部分３０ｃの発光波長（例えば、ピーク波長）は、第１部分３０ａの発光波長（例えば、ピーク波長）とは、異なり、第２部分３０ｂの発光波長（例えば、ピーク波長）とは、異なる。
【００７６】
駆動部９０が設けられる場合、駆動部９０は、複数の第１電極（例えば、第１電極１０ａ、１０ｂ及び１０ｃなど）に電気的に接続される。
【００７７】
液体用容器１１１Ａにおいて、制御部９１をさらに設けることができる。制御部９１は、複数の第１電極（例えば、第１電極１０ａ〜１０ｃなど）に流れる電流を制御する。
【００７８】
制御部９１により、有機発光層３０の各部分（例えば、第１〜第３部分３０ａ〜３０ｃなど）から放出される光の強さが制御できる。槽部７０に格納された液体７０Ｗを、種々の色の光で照明できる。
【００７９】
実施形態において、複数の第１電極１０の数は、２でも良い。例えば、第１電極１０ｃが設けられず、従って第３部分３０ｃが設けられなくても良い。
【００８０】
図６は、第１の実施形態に係る別の液体用容器を例示する模式的断面図である。  
図６は、図１（ａ）のＡ１−Ａ２線断面に相当する断面図である。
【００８１】
図６に表したように、本実施形態に係る液体用容器１１１Ｂにおいては、発光部８０は、第３電極１０Ａと、第４電極２０Ａと、第２有機発光層３０Ａと、絶縁層１５Ａと、をさらに含む。この場合には、有機発光層３０は、第１有機発光層３０となる。
【００８２】
第４電極２０Ａは、槽部７０の透過性の一部７０ｐと、第２電極２０との間に設けられる。第３電極１０Ａは、第４電極２０Ａと第２電極２０との間に設けられる。第２有機発光層３０Ａは、第３電極１０Ａと第４電極２０Ａとの間に設けられる。絶縁層１５Ａは、第３電極１０Ａと第２電極２０との間に設けられる。
【００８３】
絶縁層１５Ａは、光透過性である。絶縁層１５Ａには、例えば、金属酸化物、金属窒化物、または、金属酸窒化物などを用いることができる。絶縁層１５Ａには、例えば、ＳｉＯ２膜などを用いることができる。絶縁層１５Ａには、有機樹脂を用いても良い。絶縁層１５Ａには、例えば、アクリル系樹脂またはシリコーン系樹脂などを用いることができる。
【００８４】
第３電極１０Ａには、例えば、第１電極１０に関して説明した構成及び材料を適用できる。第４電極２０Ａには、例えば、第２電極２０に関して説明した構成及び材料を適用できる。第３電極１０Ａには、例えば、第２電極２０に関して説明した構成及び材料を適用できる。第４電極２０Ａには、例えば、第１電極１０に関して説明した構成及び材料を適用できる。例えば、第３電極１０Ａが陰極で、第４電極２０Ａが陽極である。例えば、第３電極１０Ａが陽極で、第４電極２０Ａが陰極でも良い。
【００８５】
第２有機発光層３０Ａには、第１有機発光層（有機発光層３０）に関して説明した構成及び材料を適用できる。第２有機発光層３０Ａの発光波長（例えばピーク波長）は、第１有機発光層（有機発光層３０）の発光波長（例えば、ピーク波長）と、異なっても良い。
【００８６】
駆動部９０が設けられる場合、駆動部９０は、第３電極１０Ａ及び第４電極２０Ａにさらに接続される。駆動部９０は、第３電極１０Ａと第４電極２０Ａとの間に流れる電流を発光部８０に供給する。
【００８７】
液体用容器１１１Ｂにおいて、制御部９１をさらに設けても良い。制御部９１は、第３電極１０Ａと第４電極２０Ａとの間に流れる電流をさらに制御する。制御部９１により、第１有機発光層（有機発光層３０）から放出される光の強さ、及び、第２有機発光層３０Ａから放出される光の強さが制御できる。槽部７０に格納された液体７０Ｗを、種々の色の光で照明できる。
【００８８】
第２有機発光層３０Ａの発光波長が、第１有機発光層の発光波長と同じでも良い。有機発光層が２層以上になることで、明るい照明光が得られる。
【００８９】
図７は、第１の実施形態に係る別の液体用容器を例示する模式的断面図である。  
図７は、図１（ａ）のＡ１−Ａ２線断面に相当する断面図である。
【００９０】
図７に表したように、本実施形態に係る液体用容器１１１Ｃにおいては、発光部８０は、第３電極１０Ｅと、第２有機発光層３０Ａと、をさらに含む。この場合には、有機発光層３０は、第１有機発光層３０となる。
【００９１】
第３電極１０Ｅは、槽部７０の透過性の一部７０ｐと、第２電極２０との間に設けられる。第２有機発光層３０Ａは、第３電極１０Ｅと第２電極２０との間に設けられる。
【００９２】
第３電極１０Ａには、例えば、第１電極１０に関して説明した構成及び材料を適用できる。第３電極１０Ａには、例えば、第２電極２０に関して説明した構成及び材料を適用できる。例えば、第１電極１０及び第３電極１０Ｅが陰極で、第２電極２０が陽極である。例えば、第１電極１０及び第３電極１０Ｅが陽極で、第２電極２０が陰極でも良い。
【００９３】
第２有機発光層３０Ａには、第１有機発光層（有機発光層３０）に関して説明した構成及び材料を適用できる。第２有機発光層３０Ａの発光波長（例えばピーク波長）は、第１有機発光層（有機発光層３０）の発光波長（例えば、ピーク波長）と、異なっても良い。
【００９４】
駆動部９０が設けられる場合、駆動部９０は、第３電極１０Ｅにさらに接続される。駆動部９０は、第３電極１０Ｅと第２電極２０の間に流れる電流を発光部８０に供給する。
【００９５】
液体用容器１１１Ｃにおいて、制御部９１をさらに設けても良い。制御部９１は、第３電極１０Ｅと第２電極２０との間に流れる電流をさらに制御する。制御部９１により、第１有機発光層（有機発光層３０）から放出される光の強さ、及び、第２有機発光層３０Ａから放出される光の強さが制御できる。槽部７０に格納された液体７０Ｗを、種々の色の光で照明できる。
【００９６】
第２有機発光層３０Ａの発光波長が、第１有機発光層の発光波長と同じでも良い。有機発光層が２層以上になることで、明るい照明光が得られる。
【００９７】
図８は、第１の実施形態に係る別の液体用容器を例示する模式的断面図である。  
図８は、図１（ａ）のＡ１−Ａ２線断面に相当する断面図である。
【００９８】
図８に表したように、本実施形態に係る別の液体用容器１１４においては、発光部８０は、光学層８６をさらに含む。これ以外の構成は、例えば、液体用容器１１１と同様であるので説明を省略する。
【００９９】
光学層８６は、槽部７０の光透過性の部分（槽部７０の上記の一部７０ｐ）と第２電極２０との間に設けられている。光学層８６は、槽部７０の上記の一部７０ｐに接している。この例では、基板８５が設けられており、光学層８６は、槽部７０の上記の一部７０ｐと、基板８５と、の間に配置される。光学層８６は、発光部８０の槽部７０の側に設けられる。
【０１００】
光学層８６は、光透過性である。  
光学層８６の屈折率は、第２電極２０の屈折率よりも低い。光学層８６の屈折率は、例えば、１．３以上１．５５以下である。光学層８６の屈折率と、第２電極２０の屈折率と、の差の絶対値は、例えば、０．２以上である。
【０１０１】
光学層８６の屈折率は、槽部７０の上記の一部７０ｐの屈折率に近い。光学層８６の屈折率と、槽部７０の上記の一部７０ｐの屈折率と、の差の絶対値は、例えば、０．５以下である。この差の絶対値は、好ましくは、０．２未満である。この差の絶対値は、０．１以下であることがさらに好ましい。
【０１０２】
例えば、光学層８６は、第２電極２０と、槽部７０の上記の一部７０ｐと、の間において、屈折率調整層として機能する。光学層８６を設けることで、液体７０Ｗへの光４５の入射の効率が向上できる。
【０１０３】
光学層８６には、例えば、シリコーン樹脂、アクリル樹脂などの種々の樹脂を用いることができる。
【０１０４】
光学層８６により、発光部８０は、槽部７０に密着できる。光学層８６は、発光部８０の光出射面８０ａと、槽部７０と、を密着させる。光学層８６は、例えば、密着層として機能する。
【０１０５】
光学層８６は、粘着性を有しても良い。光学層８６は、接着性を有しても良い。光学層８６により、例えば、発光部８０の基板８５と槽部７０とが互いに結合される。
【０１０６】
光学層８６は、液体用容器１１０、１１１Ａ〜１１１Ｃ、１１２、及び、１１３において設けても良い。
【０１０７】
図９は、第１の実施形態に係る別の液体用容器を例示する模式的断面図である。  
図９は、図１（ａ）のＡ１−Ａ２線断面に相当する断面図である。
【０１０８】
図９に表したように、本実施形態に係る別の液体用容器１１５においては、発光部８０は、光路制御層５０をさらに含む。これ以外の構成は、例えば、液体用容器１１１と同様であるので説明を省略する。
【０１０９】
光路制御層５０は、槽部７０の透光性の部分（槽部７０上記の一部７０ｐ）と、第２電極２０と、の間に設けられる。
【０１１０】
この例では、発光部８０において、基板８５が設けられている。基板８５は、上記の少なくとも一部７０ｐと、第２電極２０との間に設けられている。この場合には、光路制御層５０は、第２電極２０と基板８５との間に設けられる。光路制御層５０は、例えば、第２電極２０と基板８５とに接する。
【０１１１】
光路制御層５０は、有機発光層３０から放出された光４５の進行方向を変える。光路制御層５０には、例えば、光散乱層などを用いることができる。光路制御層５０を設けることで、光４５を第２電極２０から、槽部７０に向けて効率良く進行させることができる。
【０１１２】
光路制御層５０は、液体用容器１１０、１１１Ａ〜１１１Ｃ、及び、１１４において設けても良い。
【０１１３】
図１０（ａ）〜図１０（ｄ）は、第１の実施形態に係る液体用容器の一部を例示する模式的断面図である。  
これらの図は、光路制御層５０の構成を例示している。  
図１０（ａ）に表したように、光路制御層５０は、例えば、樹脂層５５と、樹脂層５５に分散された複数の粒子５６と、を含む。樹脂層５５には、例えば、ポリシロキサン系ポリマーなどが用いられる。ただし、樹脂層５５の材料は任意である。粒子５６には、例えば、シリカ粒子及びポリスチレン粒子の少なくともいずれかを用いることができる。ただし、粒子５６の材料は任意である。粒子５６の径は、例えば、０．２μｍ以上１００μｍ以下である。樹脂層５５の厚さは、例えば、０．２μｍ以上１００μｍ以下である。
【０１１４】
樹脂層５５の屈折率と、粒子５６の屈折率と、の差の絶対値は、例えば、０．１以上であり、より好ましくは０．２以上である。樹脂層５５の屈折率と、粒子５６の屈折率と、の差の絶対値が小さいと散乱特性が低くなる。屈折率の差の絶対値を０．１以上にすることで、十分な散乱性が得られる。粒子５６の形状は、球形（扁平球を含む）、多面立体形、針状など、任意である。
【０１１５】
例えば、樹脂層５５の屈折率は、第２電極２０の屈折率と同等である。樹脂層５５の屈折率と第２電極２０の屈折率との差の絶対値は０．２未満である。樹脂層５５は、透明である。
【０１１６】
図１０（ｂ）に表したように、光路制御層５０において、複数の粒子５６は互いに接触するように配置されても良い。
【０１１７】
図１０（ｃ）に表したように、光路制御層５０において、粒子５６の表面の一部が露出しても良い。粒子５６の一部は、基板８５の中に埋め込まれる。
【０１１８】
図１０（ｄ）に表したように、光路制御層５０として、表面に凹凸が形成された透明層５７を用いることができる。透明層５７の凹凸は、例えば、基板８５の表面に設けられる凹凸に沿う。例えば、基板８５として、マイクロレンズ層、溝層、または、ピラミッド形状層など、任意の凹凸が設けられた基板を用いる。このような基板８５の上に透明膜を形成することで、透明層５７が形成できる。透明層５７の屈折率は、基板８５の屈折率とは異なる。透明層５７として、ポリシロキサン系ポリマーなどを用いることができる。なお、この透明層５７は、フィラーなどの樹脂以外の成分を含んでも良い。
【０１１９】
図１１は、第１の実施形態に係る別の液体用容器を例示する模式的断面図である。  
図１１は、図１（ａ）のＡ１−Ａ２線断面に相当する断面図である。
【０１２０】
図１１に表したように、本実施形態に係る別の液体用容器１１６においては、発光部８０は、光路制御層５０をさらに含む。これ以外の構成は、例えば、液体用容器１１３と同様であるので説明を省略する。すなわち、第１電極１０に開口部１０ｏが設けられた液体用容器１１３において、光路制御層５０が設けられている。
【０１２１】
この例では、発光部８０において、基板８５が設けられている。光路制御層５０は、第２電極２０と基板８５との間に設けられる。
【０１２２】
光路制御層５０は、Ｘ−Ｙ平面に投影したときに、第１電極１０と重畳する。光路制御層５０は、Ｘ−Ｙ平面に投影したときに、有機発光層３０の重畳部分３５と重畳する。例えば、光路制御層５０は、開口部１０ｏとは重畳しない。例えば、光路制御層５０は、非重畳部分３６とは重畳しない。
【０１２３】
発光する重畳部分３５に重畳して光路制御層５０を設けることで、光４５を効率的に第２電極２０から槽部７０に向けて取り出すことができる。そして、光路制御層５０を非重畳部分３６と重畳させないことで、使用者は、開口部１０ｏを介して、液体７０Ｗの中を観視できる。
【０１２４】
この例では、基板８５の上に光路制御層５０が設けられ。光路制御層５０を埋め込むように、光透過層６０が設けられている。光透過層６０の屈折率は、第２電極２０の屈折率よりも低い。光透過層６０を設けることで、平坦性が向上する。これにより、例えば、第２電極２０及び有機発光層３０などが均一に形成できる。光路制御層５０は、第２電極２０と接するように設けられていても良い。
【０１２５】
図１２は、第１の実施形態に係る別の液体用容器を例示する模式的断面図である。  
図１２は、図１（ａ）のＡ１−Ａ２線断面に相当する断面図である。
【０１２６】
図１２に表したように、本実施形態に係る別の液体用容器１１７においては、発光部８０は、光路制御層５０をさらに含む。これ以外の構成は、例えば、液体用容器１１４と同様であるので説明を省略する。すなわち、第１電極１０に開口部１０ｏが設けられ、配線２５が設けられた液体用容器１１４において、光路制御層５０が設けられている。
【０１２７】
この例では、光路制御層５０は、Ｘ−Ｙ平面に投影したときに、配線２５とさらに重畳するように設けられている。これにより、配線２５により遮蔽される光の進行方向を変える。これにより、配線２５が設けられたときにおいても、光取り出し効率を向上できる。
【０１２８】
（第２の実施形態）  
本実施形態は、液体用容器を照明するための容器用照明装置に係る。  
図１３は、第２の実施形態に係る容器用照明装置を例示する模式的断面図である。
【０１２９】
図１３に表したように、本実施形態に係る容器用照明装置１２０は、発光部８０と、密着層８７と、を含む。容器用照明装置１２０は、槽部７０（容器）の外側面７０ｏに対向して設けられる。容器用照明装置１２０は、槽部７０（容器）に格納された液体７０Ｗを照明する。
【０１３０】
発光部８０は、第１電極１０と、第２電極２０と、有機発光層３０と、を含む。有機発光層３０は、第１電極１０と第２電極２０との間に設けられる。発光部８０は、第２電極２０の側の光出射面８０ａを有する。
【０１３１】
密着層８７は、光出射面８０ａ上に設けられる。密着層８７は、槽部７０（槽部７０の少なくとも一部７０ｐ）と、光出射面８０ａと、を密着可能である。図１（ａ）に関して説明したように、槽部７０は、内部に液体７０Ｗを格納可能である。槽部７０のその一部７０ｐは、光透過性である。密着層８７は、光透過性である。
【０１３２】
密着層８７には、例えば、シリコーン樹脂、アクリル樹脂などの種々の樹脂を用いることができる。密着層８７により、発光部８０は、槽部７０に密着できる。
【０１３３】
本実施形態に係る容器用照明装置１２０によれば、液体を効率良く照明できる容器用照明装置が提供できる。
【０１３４】
図１４は、第２の実施形態に係る別の容器用照明装置を例示する模式的断面図である。  図１４に表したように、本実施形態に係る容器用照明装置１２０ａにおいては、保護層８８がさらに設けられる。保護層８８は、密着層８７に接している。容器用照明装置１２０ａを使用する際には、保護層８８を密着層８７から分離する。露出した密着層８７を槽部７０に密着させる。保護層８８を設けることで、密着層８７が保護できる。
【０１３５】
図１５は、第２の実施形態に係る別の容器用照明装置を例示する模式的断面図である。  図１５に表したように、本実施形態に係る容器用照明装置１２１においては、発光部８０は、基板８５をさらに備える。基板８５は、第２電極２０と密着層８７との間に配置される。容器用照明装置１２１においても、液体を効率良く照明できる容器用照明装置が提供できる。
【０１３６】
容器用照明装置１２０及び１２０ａにおいて、発光部８０には、第１の実施形態における液体用容器１１０、１１１Ａ〜１１１Ｃ、及び、１１２〜１１７に関して説明した発光部８０の構成を適用できる。本実施形態に係る容器用照明装置において、第１の実施形態に関して説明した、第１電極１０の開口部１０ｏ、配線２５、光学層８６、光路制御層５０、光透過層６０、駆動部９０及び制御部９１の少なくともいずれかをさらに設けても良い。
【０１３７】
（第３の実施形態）  
本実施形態は、液体用容器に用いられる容器用部材に係る。  
図１６（ａ）及び図１６（ｂ）は、第３の実施形態に係る容器用部材を例示する模式図である。  
図１６（ａ）は、模式的断面図である。図１６（ｂ）は、容器用部材の使用状態を例示する模式的斜視図である。
【０１３８】
図１６（ａ）及び図１６（ｂ）に表したように、本実施形態に係る容器用部材１３１は、基板部８９と、発光部８０と、を含む。
【０１３９】
基板部８９は、槽部７０の一部に備えられる。槽部７０の内部に液体を格納可能である。槽部７０の少なくとも一部７０ｐは、光透過性である。基板部８９は、光透過性の一部７０ｐの一部となる。
【０１４０】
例えば、基板部８９は、槽部７０の第１側部７１の少なくとも一部となる。基板部８９は、槽部７０の底部７５の少なくとも一部となっても良い。
【０１４１】
基板部８９は、光透過性である。基板部８９には、例えば、ガラス、または、樹脂等が用いられる。
【０１４２】
発光部８０は、第１電極１０と、第２電極２０と、有機発光層３０と、を含む。第１電極１０は、基板部８９に対向する。第１電極２０は、第１電極１０と基板部８９との間に設けられる。第２電極２０は、光透過性である。有機発光層３０は、第１電極１０と第２電極２０との間に設けられる。
【０１４３】
本実施形態によれば、液体を効率良く照明できる容器用部材が提供できる。
【０１４４】
本実施形態に係る容器用部材において、第１の実施形態に関して説明した、第１電極１０の開口部１０ｏ、配線２５、光学層８６、光路制御層５０、光透過層６０、駆動部９０及び制御部９１の少なくともいずれかをさらに設けても良い。
【０１４５】
（第４の実施形態）  
本実施形態は、液体用容器を含む照明システムに係る。  
図１７は、第４の実施形態に係る容器照明システムを例示する模式的斜視図である。  
図１７に表したように、本実施形態に係る容器照明システム１４０は、槽部７０と、発光部８０と、制御部９１と、を含む。
【０１４６】
槽部７０は、槽部７０の内部に液体７０Ｗを格納可能である。槽部７０の少なくとも一部７０ｐは、光透過性である。槽部７０の上記の一部７０ｐは、外側面７０ｏを有する。
【０１４７】
発光部８０は、第１電極１０と、第２電極２０と、有機発光層３０と、を含む。第１電極１０は、上記の少なくとも一部７０ｐの外側面７０ｏに対向する。第２電極２０は、第１電極１０と、上記の少なくとも一部７０ｐと、の間に設けられる。第２電極２０は、光透過性である。有機発光層３０は、第１電極１０と第２電極２０との間に設けられる。
【０１４８】
制御部９１は、第１電極１０と第２電極２０との間に流れる電流を制御する。この例では、駆動部９０が設けられる。駆動部９０は、第１電極１０及び第２電極２０に電気的に接続され、第１電極１０と第２電極２０との間流れる電流を発光部８０に供給する。制御部９１は、駆動部９０に接続される。制御部９１は、駆動部９０を制御して、第１電極１０と第２電極２０との間に流れる電流を制御する。駆動部９０は、制御部９１に含まれても良い。
【０１４９】
本実施形態において、例えば、複数の発光部８０を設けても良い。複数の発光部８０から放出される光の波長（例えばピーク波長）は、互いに異なっても良い。本実施形態において、複数の第１電極が設けられ、有機発光層３０が複数の部分（例えば、第１〜第３部分３０ａ〜３０ｃなど）が設けられても良い。本実施形態において、複数の有機発光層（有機発光層３０及び第２有機発光層３０Ａなど）が設けられても良い。制御部９１は、波長が異なる複数の光の明るさを制御しても良い。
【０１５０】
本実施形態において、発光部８０は、例えば、白、赤、橙、黄、緑、青、藍または紫などの種々の色の光を放出する。本実施形態に係る容器照明システムは、例えば、噴水やプールなどの装飾照明として使用できる。本実施形態によれば、液体中の雰囲気を制御できる。
【０１５１】
発光部８０の有機発光層３０（及び第２有機発光層３０Ａなど）の駆動には、例えば、直流での駆動、または、パルス幅変調（ＰＷＭ）での駆動などが適用できる。制御部９１及び駆動部９０は、液体７０Ｗから離間して設けられる。
【０１５２】
本実施形態によれば、液体を効率良く照明できる容器照明システムが提供できる。
【０１５３】
本実施形態に係る容器照明システムにおいて、第１の実施形態に関して説明した、第１電極１０の開口部１０ｏ、配線２５、光学層８６、光路制御層５０、光透過層６０、駆動部９０及び制御部９１の少なくともいずれかをさらに設けても良い。
【０１５４】
第２〜第４の実施形態において、第１電極１０、第２電極２０、有機発光層３０、基板８５、配線２５、光学層８６、光路制御層５０及び光透過層６０のそれぞれには、第１の実施形態に関して説明した構成を適用できる。
【０１５５】
実施形態によれば、液体を効率良く照明できる液体用容器、容器用照明装置、容器用部材及び容器照明システムが提供される。
【０１５６】
以上、具体例を参照しつつ、本発明の実施の形態について説明した。しかし、本発明の実施形態は、これらの具体例に限定されるものではない。例えば、液体用容器、容器用照明装置、容器用部材及び容器照明システムに含まれる、第１電極、第２電極、有機発光層、基板、配線、光学層、光路制御層及び光透過層などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１５７】
その他、本発明の実施の形態として上述した液体用容器、容器用照明装置、容器用部材及び容器照明システムを基にして、当業者が適宜設計変更して実施し得る全ての液体用容器、容器用照明装置、容器用部材及び容器照明システムも、本発明の要旨を包含する限り、本発明の範囲に属する。
【０１５８】
その他、本発明の思想の範疇において、当業者であれば、各種の変更例及び修正例に想到し得るものであり、それら変更例及び修正例についても本発明の範囲に属するものと了解される。
【０１５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１６０】
１０、１０ａ〜１０ｃ…第１電極、  １０Ａ…第３電極、  １０Ｅ…第３電極、  １０ｏ…開口部、  １５Ａ…絶縁層、  ２０…第２電極、  ２０Ａ…第４電極、  ２５…配線、  ２５ｏ…開口、  ３０…有機発光層（第１有機発光層）、  ３０Ａ…第２有機発光層、  ３０ａ〜３０ｃ…第１〜第３部分、  ３１…第１層、  ３２…第２層、  ３３…発光層、  ３５…重畳部分、  ３６…非重畳部分、  ５０…光路制御層、  ５５…樹脂層、  ５６…粒子、  ５７…透明層、  ６０…光透過層、  ７０…槽部、  ７０Ｗ…液体、  ７０ｏ…外側面、  ７０ｐ…一部、  ７１〜７４…第１〜第４側部、  ７５…底部、  ８０…発光部、  ８０ａ…光出射面、  ８５…基板、  ８６…光学層、  ８７…密着層、  ８８…保護層、  ８９…基板部、  ９０…駆動部、  ９１…制御部、  １１０、１１１、１１１Ａ〜１１１Ｃ、１１２、１１３、１１４、１１５、１１６、１１７…液体用容器、  １２０、１２０ａ、１２１…容器用照明装置、  １３１…容器用部材、  １４０…容器照明システム
【図１】
2014103008.tif 000003
【図２】
2014103008.tif 000004
【図３】
2014103008.tif 000005
【図４】
2014103008.tif 000006
【図５】
2014103008.tif 000007
【図６】
2014103008.tif 000008
【図７】
2014103008.tif 000009
【図８】
2014103008.tif 000010
【図９】
2014103008.tif 000011
【図１０】
2014103008.tif 000012
【図１１】
2014103008.tif 000013
【図１２】
2014103008.tif 000014
【図１３】
2014103008.tif 000015
【図１４】
2014103008.tif 000016
【図１５】
2014103008.tif 000017
【図１６】
2014103008.tif 000018
【図１７】
2014103008.tif 000019